(57)【要約】【課題】  遊技機裏面に配置される制御基板に対し島内の配線による電気低影響が及ぶことを回避する上で有効な技術を提供する【解決手段】  遊技機において、遊技機裏面に配設された制御基板に対して島内の配線による電気的影響が及ぶことを回避するための手段１２１を備えた。【選択図】  図９
2005261602.tif 000002
【特許請求の範囲】
【請求項１】
遊技機裏面に配設された制御基板に対して島内の配線による電気的影響が及ぶことを回避するための手段を備えたことを特徴とする遊技機。
【発明の詳細な説明】
【技術分野】
【０００１】
本発明は、遊技機の裏面側に配置されている基板ボックス内の制御基板を外部の電気的影響から保護する技術に関する。
【背景技術】
【０００２】
従来、遊技機としての、例えばパチンコ機には、遊技球が所定の入賞口に入賞したことを検出するセンサーからの検出信号が入力されるメイン制御基板、当該メイン制御基板からの信号に基づいて音声装置およびランプ装置を駆動制御するサブ制御基板、あるいは賞球払出装置を駆動制御するのに用いられる払出制御基板等の各種の制御基板が設けられ、それらの各制御基板は、それぞれが合成樹脂製の基板ボックスに収容された状態でパチンコ機の裏面に配置されている。このような制御基板の配置技術については、例えば特開２００２−８５７７０号公報（特許文献１）に開示されている。
【０００３】
ところで、パチンコ機が配置されるパチンコ島の内部には、例えば島設備のホールコンピューターとパチンコ機を接続する電源配線あるいは信号配線等、パチンコ機以外の多数の配線（例えば、球貸しサンドの電源配線、島ランプの電源配線および信号配線、照明等の電源配線等）が通っている。そしてこれらの配線が、遊技機裏面に配置されている基板ボックスに接触するほどに、あるいは接触しないまでも異常に接近したような場合、当該基板ボックスに収容されている制御基板が島側の配線からの電気的影響を受けて誤作動する可能性があり、この点においてなお改良の余地がある。
【特許文献１】特開２００２−８５７７０号公報
【発明の開示】
【発明が解決しようとする課題】
【０００４】
本発明は、かかる点に鑑みてなされたものであり、遊技機裏面側に配置される制御基板に対し島内の配線による電気低影響が及ぶことを回避する上で有効な技術を提供することを目的とする。
【課題を解決するための手段】
【０００５】
上記課題を達成するため、特許請求の範囲の請求項１に記載の発明が構成される。
請求項１に記載の発明は、遊技機において、遊技機裏面に配設された制御基板に対して島内の配線による電気的影響が及ぶことを回避するための手段を備えた。なお遊技機としては、典型的には、パチンコ機やスロットマシン等がこれに該当する。本発明に係る遊技機によれば、遊技機裏面に配置された制御基板に対して島内の配線による電気的影響が及ぶことを回避することができる。
【発明の効果】
【０００６】
本発明によれば、遊技機裏面側に配置される制御基板に対して島内の配線による電気低影響が及ぶことを回避する上で有効な技術が提供されることとなった。
【発明を実施するための最良の形態】
【０００７】
以下、本発明の実施の形態に係るパチンコ機につき図面を参照しつつ詳細に説明する。図１はパチンコ機１００の全体を示す斜視図である。パチンコ機１００は、本発明における「遊技機」の一例である。図１に示すように、パチンコ機１００は、概括的には、外枠１０１と、内枠１０３と、遊技盤１０５と、ガラス枠（前面枠）１０７と、前板１０９からなる。内枠１０３はパチンコ機１００の前方から見て左側縁部がヒンジ機構を介して外枠１０１に開閉自在に取り付けられる。遊技盤１０５は内枠１０３に前方から嵌め込まれた状態で取り付けられる。またガラス枠１０７および前板１０９は、パチンコ機１００の前方から見て内枠１０３の左側縁部に個々にヒンジ機構を介して開閉自在に取り付けられている。
なお図１では、内枠１０３が外枠１０１に対して開放され、ガラス枠１０７および前板１０９が内枠１０３に対して開放された状態が示されている。パチンコ機１００における内枠１０３の裏面下部側および当該内枠１０３に装着された遊技盤１０５の裏面側には、メイン制御基板、サブ制御基板、表示制御基板、払出制御基板等、各種の制御基板が、それぞれ基板ボックスに収容された状態で配置されている。
【０００８】
一般に、パチンコホール（遊技場）には、島と呼称される構築物が設けられ、この島に複数のパチンコ機が横並びに配設される。図２には複数のパチンコ機１００が島Ｓに背中合わせで二列に配設される、いわゆる両島タイプの態様が簡略に示してある。このような形式のほか、パチンコ機が壁際に沿って構築された島に一列に配置される、いわゆる片島と呼称される島もある。ところで、上記のような島内（パチンコ機の裏面側）には、それらパチンコ機と島側の電気的設備とを接続するための電源配線、通信配線のほか、球貸しサンドの電源配線、島ランプの電源配線および信号配線、照明等の電源配線等の多数の配線が通っている。そしてこれらの配線は、パチンコ機の裏面側に配置された基板ボックスに近接し、あるいは接触する可能性がある。ところが、上記の配線が基板ボックスに異常に接近したような場合、当該基板ボックスに収容されている制御基板（ＣＰＵを備えた基板）が島側の配線からの電気的影響を受けて誤作動する可能性がある。
【０００９】
そこで、本実施の形態は、パチンコ機裏面側に配置される制御基板を島内の配線による電気的影響から回避するべく、制御基板（図示省略）を収容する基板ボックスにひさし状の配線除け部材を設置したものである。図３〜図５には基板ボックス１１１が模式図で示され、図６〜図８には配線よけ部材１２１が模式図で示され、図９〜図１１には基板ボックス１１１に配線よけ部材１２１が取り付けられた状態が模式図で示されている。上記の配線よけ部材１２１が本発明における「侵入規制部材」に対応する。
【００１０】
図３は基板ボックス１１１を裏面視で示し、図４は基板ボックスを平面視で示し、図５は基板ボックスを側面視で示している。図３〜図５に示すように、基板ボックス１１１は概ね方形の箱状に形成されており、パチンコ機１００の裏面に取り付けた状態での上辺部（図３における上端部）および一方の側辺部（図３における右端部）にそれぞれ配線よけ部材１２１を着脱自在に取り付けるための取付部１１３，１１５が設けられている。なお図３〜図５において、符号１１７は配線接続用コネクタを示している。上記の取付部１１３，１１５が本発明における「侵入規制部材取付部」に対応する。
【００１１】
上辺部側の取付部１１３は、左右方向（横方向）に一定間隔で対向状に配置された一対のＬ字状の係止爪１１３ａからなる。係止爪１１３ａはボックス上面との間に、後述する配線よけ部材１２１の板厚に相当する隙間が形成され、先端部のボックス上面との対向面には半球状の係止凸部１１３ｂが設けられている。また側辺部側の取付部１１５は、上下方向に一定間隔で対向状に配置された一対のＬ字状の係止爪１１５ａからなる。そして、係止爪１１５ａはボックス側面との間に配線よけ部材１２１の板厚に相当する隙間が形成され、先端部のボックス側面との対向面には半球状の係止凸部１１５ｂが設けられている。なお上辺部側の係止爪１１３ａの対向間隔と、側辺部側の係止爪１１５ａの対向間隔は、同一とされている。
【００１２】
図６〜図８には、配線よけ部材１２１が示されている。図６は配線よけ部材１２１を裏面視で示し、図７は配線よけ部材１２１を平面視で示し、図８は配線よけ部材１２１を側面視で示す。配線よけ部材１２１は、方形状に形成された柔軟性を有する樹脂製の２枚の平板状の配線よけ板１２３，１２５から構成されている。両配線よけ板１２３，１２５は、ヒンジ１２７を介して相対的に回動自在に連接されている。ヒンジ１２７は、例えば配線よけ板１２３，１２５を薄肉部によって一体的に連接した、いわゆるインテグラルヒンジによって構成されており、成型加工時において両配線よけ板１２３，１２５が所定の傾斜角度（図８参照）の屈曲状をなす形状に設定される。
【００１３】
両配線よけ板１２３，１２５は、横幅Ｌ（図７の左右幅）が互いに等しく形成され、前後方向長さ（図７の上下方向、図８の左右方向）については、一方の配線よけ板１２３の前後長さＬ１に対し、他方の配線よけ板１２５の前後長さＬ２が大きく設定されている。なお配線よけ板１２３，１２５の横幅Ｌは、前記基板ボックス１１１に設けられた取付部１１３，１１５の係止爪１１３ａ，１１５ａの対向間隔に等しく、あるいは若干小さめに設定されている。また両配線よけ板１２３，１２５の前後方向の端部には、係止爪１１３ａ，１１５ａに設けた半球状の係止凸部１１３ｂ，１１５ｂに係脱可能な円形の係止孔１２３ａ，１２５ａが形成されている。上記の係止孔１２３ａ，１２５ａが本発明における「凹部」に対応し、係止凸部１１３ｂ，１１５ｂが本発明における「凸部」に対応する。
【００１４】
図９〜図１１には、基板ボックス１１１の上辺部に配線よけ部材１２１が取り付けられた状態が示されている。図９は裏面視で示し、図１０は平面視で示し、図１１は側面視で示す。図９〜図１１では、前後長さが短い短辺側の配線よけ板１２３が基板ボックス１１１の上辺部の取付部１１３に取り付けられている。配線よけ部材１２１は、一方の配線よけ板１２３の端部を、両係止爪１１３ａ間に当該係止爪１１３ａの弾性変形を利用して差し込むことで取り付けられる。取付状態においては、配線よけ板１２３の係止孔１２３ａに係止爪１１３ａの係止凸部１１３ｂが係合し、これによって配線よけ部材１２１は、抜け止めされた安定状態で保持される。
【００１５】
上記のように取り付けられた配線よけ部材１２１は、図１１に示すように、基板ボックス１１１の上辺部から裏側（後方）へとひさしの如く延在され、当該基板ボックス１１１のパチンコ機裏面側に露出する面の一部（上側中央領域）を覆うように配置される。従って、遊技場の島に設置した状態において、パチンコ機１００の外枠１０１に対して内枠１０３を閉止すべく裏面側へ回動させたとき、島内の配線Ｒ（図１１参照）が遊技機裏面側に近接した状態で通っている場合には、配線よけ部材１２１の、特に後側の傾斜状の配線よけ板１２５によってこれを押し退けて基板ボックス１１１から遠ざける。すなわち、島側の配線Ｒを、当該配線Ｒの電気的影響が制御基板に及ばない領域あるいは及び難い領域へと押し退けることができる。
【００１６】
島内を通る配線は、延びている方向が一様ではない。例えば上記のように配線よけ部材１２１を基板ボックス１１１の上辺部に取り付けてひさし状の形態としたときは、横方向に通っている配線に対して押し退け機能が有効に作用するものの、縦方向（上下方向）に通っている配線に対しては、あまり有効とはいい難い。本実施の形態では、配線よけ部材１２１を基板ボックス１１１の側辺部にも取付可能としているため、当該配線よけ部材１２１を図１２に示すように、基板ボックス１１１の側辺部に取り付けることによって、縦方向に通っている配線Ｒに対して押し退け機能を有効に作用させることができる。
【００１７】
この場合、本実施の形態では、基板ボックス１１１の取付部１１３，１１５に対し配線よけ部材１２１を、抜き差しするだけで着脱できるため、着脱作業を簡便に行うことができる。一方、配線よけ部材１２１の差し込み位置では、係止爪１１３ａ，１１５ａに設けた係止凸部１１３ｂ，１１５ｂが配線よけ部材１２１の係止孔１２３ａ，１２５ａに弾性係合することによって保持し、配線よけ部材１２１の脱落を防止できる。
【００１８】
また本実施の形態においては、配線よけ部材１２１を前後方向の長さが異なる長短２枚の配線よけ板１２３，１２５によって構成するとともに、長辺側、短辺側のいずれも基板ボックス１１１に取付可能としてあるため、島内の奥行きが異なる場合に対応することができる。上記の短辺側の配線よけ板１２３が本発明における「短辺側部位または短辺側部材」に対応し、長辺側の配線よけ板１２５が本発明における「長辺側部位または長辺側部材」に対応する。また２枚の配線よけ板１２３，１２５は、屈曲部においてヒンジ１２７によって回動自在に連接してあるため、例えば内枠１０３の開放動作時に配線が配線よけ板１２３あるいは１２５の内側に入り込んで引っ掛かったような場合、当該配線よけ板１２３あるいは１２５が上方へ跳ね上がり、配線切れを防止することができる。
【００１９】
また配線よけ板１２３，１２５は、柔軟な樹脂板によって構成されているため、例えば押し退けようとする配線の張力が大きいような場合、あるいは当該パチンコ機の裏面側に対向状に配置されている他のパチンコ機の裏面部材に干渉したような場合、それ自体が弾性変形することで干渉相手あるいは配線よけ部材１２１自体の損傷防止を図ることができる。
以上述べたように、本実施の形態に係る配線よけ部材１２１によれば、パチンコ機１００の裏面側に配置される制御基板に対して島内の配線による電気的影響が及ぶことを合理的に回避することが可能となる。
【００２０】
なお上述した実施の形態では、配線よけ部材１２１を、パチンコ機１００の裏面視で基板ボックス１１１の上辺部と右側辺部に取り付ける構成としたが、下辺部あるいは左側辺部に取り付ける構成にしてもよいし、上下両辺部あるいは左右両辺部にそれぞれ取り付ける構成に変更してもよい。また配線よけ部材１２１を着脱自在としたが、固定する構成でもよい。また配線よけ部材１２１を平板で形成したが、枠状あるいは格子状に形成してもよい。また本実施の形態では、配線よけ部材１２１を基板ボックス１１１に取り付ける構成としたが、基板ボックス１１１を取り付ける裏カバー、すなわちボックス取付部材に取り付ける構成としてもよい。
【００２１】
また配線よけ部材１２１を長短２枚の配線よけ板１２３，１２５から構成し、両板をインテグラルヒンジ１２７によって回動自在に連接したが、配線よけ部材１２１を１枚板から屈曲状に構成することも可能であるし、インテグラルヒンジ１２７に変え、互いに回動自在に嵌合する雌雄形状のヒンジを用いてもよい。すなわち、ヒンジ機構については、その形式が限定されるものではなく、配線よけ部材１２１を構成する２つの部材が屈曲部において相対的に折り曲げ可能に連接できればよい。その場合、両板の相対的な傾斜角度は、バネを用いて設定し、あるいはヒンジの摩擦抵抗によって設定することが可能である。
また配線よけ部材１２１の取り付けについては、図示の構成とは異なる、例えばネジのような取付手段を用いてもよい。
また実施の形態では、パチンコ機１００について説明したが、パチンコ機１００に限られるものではなく、例えばスロットマシン、アレンジボール機、パチンコ球を使用してスロット遊技を行う遊技機等、その他の遊技機であっても適用することが可能である。
【００２２】
上記発明の趣旨に鑑み、以下の態様が構成可能である。すなわち、
(態様１)
「遊技機裏面側に制御基板を収容する基板ボックスが配置された遊技機であって、
前記基板ボックスの遊技機裏面側に露出する面の少なくとも一部を覆うように設けられ、前記基板ボックスの遊技機裏面側に露出する面に設定された所定の領域内に、遊技機が設置される島内の配線が侵入することを規制する侵入規制部材を備えたことを特徴とする遊技機。」
【００２３】
態様１に記載の発明によれば、遊技機裏面側に制御基板を収容する基板ボックスが配置された遊技機が構成される。遊技機としては、典型的には、パチンコ機やスロットマシン等がこれに該当する。本発明に係る遊技機によれば、基板ボックスの遊技機裏面側に露出する面の少なくとも一部を覆うように設けられ、基板ボックスの遊技機裏面側に露出する面に設定された所定の領域内に、遊技機が設置される島内の配線が侵入することを規制する侵入規制部材を備えた構成とされる。ここで「所定の領域」とは、典型的には基板ボックスに収容された制御基板に接近した島内の配線が当該制御基板に対して電磁波等の電気的影響を及ぼす可能性のある領域を指す。また「侵入を規制する」の態様としては、島内の配線が制御基板に接近しないように当該配線を侵入規制部材によって押し退けて制御基板から遠ざける態様が好適であり、そのための「侵入規制部材」の態様としては、基板ボックスの遊技機裏面側に露出する面の一部をひさし状（へ字状）に形成された板や枠あるいは格子やネット等によって覆う態様が好適である。
【００２４】
遊技機としてのパチンコ機は、パチンコホールの島に設置された状態において、例えばゲーム途中でのトラブルの発生等に基づき、遊技盤や機構板等が取り付けられた内枠を外枠に対してしばしば開閉操作する。内枠、遊技盤、機構板の裏面側には、制御基板が取り付けられており、内枠を閉じるとき、この制御基板が島内を通っている電源配線あるいは信号配線に異常に近接したような場合、当該配線から発生する電磁波による電気的影響を受ける可能性がある。本発明においては、内枠を外枠に対し閉止する際、侵入規制部材によって島内の配線が制御基板に接近し過ぎないように遠ざけることができ、これによって、制御基板に対する島内の配線による電気的影響を回避することが可能となる。
【００２５】
(態様２)
「態様１に記載の遊技機であって、
前記侵入規制部材は、前記基板ボックスまたは当該基板ボックスが取り付けられるボックス取付部材に着脱自在とされていることを特徴とする遊技機。」
【００２６】
態様２に記載の発明によれば、態様１に記載の遊技機における侵入規制部材は、基板ボックスまたは当該基板ボックスが取り付けられるボックス取付部材に着脱自在とされている。かかる構成によれば、侵入規制部材を後付けの形態で取り付けることができる。島内の配線は、その全体に亘って一様とは限らず、場所によって配線が遊技機の裏面に接近している状態、あるいは離れている状態等、様々な状況が考えられる。本発明のように、侵入規制部材を基板ボックスまたはボックス取付部材に対し着脱自在とすることによって、侵入規制部材を後付けの形態で取り付けることが可能なため、島内の配線の状態に応じて、すなわち配線の影響を受けそうな制御基板に対応する基板ボックスまたはボックス取付部材に対して侵入規制部材を選択的に取り付けることが可能である。
【００２７】
(態様３)
「態様１または２に記載の遊技機であって、
前記基板ボックスまたは前記ボックス取付部材には、上辺部と下辺部のうちの少なくとも一方および左右の側辺部のうちの少なくとも一方に侵入規制部材取付部が設けられ、前記侵入規制部材がそれらの侵入規制部材取付部に対して選択的に取付可能とされていることを特徴とする遊技機。」
【００２８】
態様３に記載の発明によれば、態様１または２に記載の遊技機における基板ボックスまたはボックス取付部材には、上辺部と下辺部のうちの少なくとも一方および左右の側辺部のうちの少なくとも一方に侵入規制部材取付部が設けられ、侵入規制部材がそれらの侵入規制部材取付部に対して選択的に取付可能とされている構成とされる。従って、例えば上辺部に侵入規制部材を取り付けたときは、島内の配線が横方向（水平方向）に通っているような状況で好適に適用し、一方、側辺部に侵入規制部材を取り付けたときは、島内の配線が縦方向（上下方向）に通っているような状況で好適に適用することができる。すなわち、態様３に記載の発明によれば、配線が通っている方向に対応して侵入規制部材の取付位置を選択的に定めることができる。
【００２９】
（態様４）
「態様１から３のいずれか１つに記載の遊技機であって、
前記侵入規制部材は、前後方向長さが異なる長短２つの部位を所定の角度で屈曲させた構成とされ、前記基板ボックスまたはボックス取付部材に対して、長辺側、短辺側のいずれの部位も着脱自在とされていることを特徴とする遊技機。」
【００３０】
態様４に記載の発明によれば、態様１から３のいずれか１つに記載の遊技機における侵入規制部材は、前後方向長さが異なる長短２つの部位を所定の角度で屈曲させた構成とされ、基板ボックスまたはボックス取付部材に対して、長辺側、短辺側のいずれの部位も着脱自在とされている。このような構成を採用したときは、島内の奥行きの違いに対応することができる。例えば、遊技場の島に複数の遊技機を背中合わせで２列に配置する場合、あるいは壁際の島に複数の遊技機を１列に配置する場合等、島の形態によって遊技機の奥行き方向の裏面スペースが異なる場合がある。本発明によれば、長辺側あるいは短辺側の部位を、基盤ボックスまたはボックス取付部材に対し選択的に付け替えることによって、島内の裏面スペースの大きさに対応することができる。
【００３１】
（態様５）
「態様１から４のいずれか１つに記載の遊技機であって、
前記侵入規制部材は、一定の大きさを超える外力が加えられたときには、当該外力によって変形可能な柔軟性を有することを特徴とする遊技機。」
【００３２】
態様５に記載の発明によれば、態様１から４のいずれか１つに記載の遊技機における侵入規制部材は、一定の大きさを超える外力が加えられたときには、当該外力によって変形可能な柔軟性を有する構成とされる。かかる構成によれば、内枠の閉止動作時において、侵入規制部材が、例えば当該遊技機の裏面側に対向状に設置されている他の遊技機の裏面側部材と干渉したような場合、侵入規制部材が一定の外力で変形し、干渉した相手側部材を過大な力で無理に押し退けるといった状態を回避できる。これによって、相手側部材および侵入規制部材の損傷を防止し得るとともに、内枠を干渉にも拘らず閉じることが可能となる。
【００３３】
（態様６）
「態様１から５のいずれか１つに記載の遊技機であって、
前記侵入規制部材は、遊技機の裏面から見て前後方向に配置される複数の部位が所定の傾斜角度で屈曲状に連接されるとともに、前記屈曲部においてヒンジ機構を介して相対的に折り曲げ可能とされていることを特徴とする遊技機。」
【００３４】
態様６に記載の発明によれば、態様１から５のいずれか１つに記載の遊技機における侵入規制部材は、遊技機の裏面から見て前後方向に配置される複数の部位が所定の傾斜角度で屈曲状に連接されるとともに、屈曲部においてヒンジ機構を介して相対的に折り曲げ可能に構成されている。このような構成を採用したときは、内枠の開放時に後側（先端側）の部位が島内の配線に引っ掛かったような場合、当該部位がヒンジ機構を中心として上方へ跳ね上がることによって配線切れを防止することが可能となる。
【００３５】
（態様７）
態様１から６のいずれか１つに記載の遊技機であって、
前記侵入規制部材は、前記基板ボックスまたは前記ボックス取付部材に設けた侵入規制部材取付部に対して抜き差しすることで着脱自在とされ、差し込み位置では、凹部と凸部による弾性係合によって当該差し込み位置に装着保持される構成としたことを特徴とする遊技機。」
【００３６】
態様７に記載の発明によれば、態様１から６のいずれか１つに記載の遊技機における侵入規制部材は、基板ボックスまたはボックス取付部材に設けた侵入規制部材取付部に対して抜き差しすることで着脱自在とされ、差し込み位置では、凹部と凸部による弾性係合によって当該差し込み位置に装着保持される構成とされる。かかる構成によれば、侵入規制部材の取り付け取り外し作業を簡単に行うことができる。
【図面の簡単な説明】
【００３７】
【図１】本発明の実施形態に係るパチンコ機の全体構成を示す斜視図である。
【図２】遊技場の島にパチンコ機を配置した態様を例示する概略斜視図である。
【図３】基板ボックスを裏面視で示す模式図である。
【図４】基板ボックスを平面視で示す模式図である。
【図５】基板ボックスを側面視で示す模式図である。
【図６】配線よけ部材を裏面視で示す模式図である。
【図７】配線よけ部材を平面視で示す模式図である。
【図８】配線よけ部材を側面視で示す模式図である。
【図９】配線よけ部材が取り付けられた基板ボックスを裏面視で示す模式図である。
【図１０】配線よけ部材が取り付けられた基板ボックスを平面視で示す模式図である。
【図１１】配線よけ部材が取り付けられた基板ボックスを側面視で示す模式図である。
【図１２】配線よけ部材の取付位置を変えた態様の基板ボックスを側面視で示す模式図である。
【符号の説明】
【００３８】
１００  パチンコ機（遊技機）
１０１  外枠
１０３  内枠
１０５  遊技盤
１０７  ガラス枠
１０９  前枠
１１１  基板ボックス
１１３  上辺部の取付部（侵入規制部材取付部）
１１３ａ  係止爪
１１３ｂ  係止凸部
１１５  側辺部の取付部（侵入規制部材取付部）
１１５ａ  係止爪
１１５ｂ  係止凸部
１１７  配線接続用コネクタ
１２１  配線よけ部材（侵入規制部材）
１２３  短辺側の配線よけ板（短辺側部位または短辺側部材）
１２３ａ  係止孔
１２５  長辺側の配線よけ板（長辺側部位または長辺側部材）
１２５ａ  係止孔
１２７  ヒンジ
【図１】
2005261602.tif 000003
【図２】
2005261602.tif 000004
【図３】
2005261602.tif 000005
【図４】
2005261602.tif 000006
【図５】
2005261602.tif 000007
【図６】
2005261602.tif 000008
【図７】
2005261602.tif 000009
【図８】
2005261602.tif 000010
【図９】
2005261602.tif 000011
【図１０】
2005261602.tif 000012
【図１１】
2005261602.tif 000013
【図１２】
2005261602.tif 000014